(57)【特許請求の範囲】
【請求項１】
撮像光学系を保持するレンズ保持部材と、
前記レンズ保持部材を前記撮像光学系の光軸に沿って移動させる駆動部とを備え、
前記レンズ保持部材は、金型を用いて成形された成形品でその表面に金型のゲートに対応するゲート部が残存しており、
前記駆動部は、前記レンズ保持部材の外周に取着されたコイルと、前記コイルの外周に臨むマグネットと、前記マグネットの外周に取着されたヨークとを含んで構成されたカメラモジュールであって、
前記レンズ保持部材の外周部分と前記コイルの内周部分とにより前記光軸と平行する方向に開放状の接着剤充填用凹部が形成され、
前記接着剤充填用凹部は、前記レンズ保持部材に形成され前記光軸と平行する方向を向いた底面を有し、
前記ゲート部は前記底面に位置し、
前記接着剤充填用凹部に充填される接着剤により前記レンズ保持部材の外周部分と前記コイルの内周部分とが接着され、かつ、前記ゲート部が前記接着剤中に埋設され、
前記ヨークに連結されると共に、撮像素子を封入したパッケージを介して撮像素子に連結された中継部材が設けられた、
ことを特徴とするカメラモジュール。
【請求項２】
前記接着剤充填用凹部は、前記レンズ保持部材の周方向に間隔をおいて複数設けられ、
前記ゲート部は、複数の接着剤充填用凹部のうちの１つの接着剤充填用凹部の底面に位置している、
ことを特徴とする請求項１記載のカメラモジュール。
【請求項３】
前記成形品はフィラーを含む合成樹脂製である、
ことを特徴とする請求項１記載のカメラモジュール。
【請求項４】
前記フィラーはガラス繊維である、
ことを特徴とする請求項３記載のカメラモジュール。
【発明の詳細な説明】
【技術分野】
【０００１】
本発明は例えば携帯用の電子機器などに組み込まれるカメラモジュールに関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮像光学系を保持するレンズ保持部材と、レンズ保持部材を収容する鏡筒部と、鏡筒内でレンズ保持部材を撮像光学系の光軸に沿って移動可能に支持するスプリングと、撮像光学系によって導かれる被写体像を撮像する撮像素子と、レンズ保持部材を光軸に沿って移動させる駆動部とを備えている（特許文献１参照）。
多くの場合、レンズ保持部材は、溶融状態の合成樹脂が金型のゲートからキャビティに充填されることで成形されている。この際、レンズ保持部材として必要な硬度を確保するために合成樹脂にはガラス繊維などのフィラーが含まれている。
【特許文献１】特開２００７−１０８５９７
【発明の開示】
【発明が解決しようとする課題】
【０００３】
ところで、レンズ保持部材の成形に伴いレンズ保持部材の表面の箇所には金型のゲートに対応するゲート部が残存することになる。
このゲート部は断面積が小さいことから前記フィラーの密度が高くなりやすい。
そのため、レンズ保持部材に振動や衝撃が加わると、ゲート部の切断箇所からフィラーが粉状の塵埃となって脱落し、その脱落した塵埃が撮像光学系のレンズや撮像素子の撮像面などに付着し、撮像された画像データの品質に悪影響を与えることが懸念される。
そこで、前記ゲート部の切断箇所を覆うように接着剤を塗布し、あるいは、前記ゲート部の切断箇所をヒータによって溶融するなどして発塵を防止する特殊な処理工程が必要となっており、製造コストの削減を図る上で不利となっている。
本発明はこのような事情に鑑みなされたものであり、本発明の目的は特殊な処理工程を必要とせずにゲート部からの発塵を効果的に防止する上で有利な放熱構造を有するカメラモジュールを提供することにある。
【課題を解決するための手段】
【０００４】
上述の目的を達成するため、本発明は、撮像光学系を保持するレンズ保持部材と、前記レンズ保持部材を前記撮像光学系の光軸に沿って移動させる駆動部とを備え、前記レンズ保持部材は、金型を用いて成形された成形品でその表面に金型のゲートに対応するゲート部が残存しており、前記駆動部は、前記レンズ保持部材の外周に取着されたコイルと、前記コイルの外周に臨むマグネットと、前記マグネットの外周に取着されたヨークとを含んで構成されたカメラモジュールであって、前記レンズ保持部材の外周部分と前記コイルの内周部分とにより前記光軸と平行する方向に開放状の接着剤充填用凹部が形成され、前記接着剤充填用凹部は、前記レンズ保持部材に形成され前記光軸と平行する方向を向いた底面を有し、前記ゲート部は前記底面に位置し、前記接着剤充填用凹部に充填される接着剤により前記レンズ保持部材の外周部分と前記コイルの内周部分とが接着され、かつ、前記ゲート部が前記接着剤中に埋設され、前記ヨークに連結されると共に、撮像素子を封入したパッケージを介して撮像素子に連結された中継部材が設けられたことを特徴とする。
【発明の効果】
【０００５】
そのため、本発明によれば、接着剤充填用凹部に充填される接着剤によりゲート部が埋設されるため、特殊な処理工程を必要とせずにゲート部からの発塵を効果的に防止する上で有利となる。
また、撮像素子で発生した熱は、パッケージから中継部材を介してヨークに伝達され、ヨークで放熱されるので、ヒートシンクなどの専用の放熱部材を設けなくても、撮像素子で発生した熱を効果的に放熱することができる。
【発明を実施するための最良の形態】
【０００６】
次に本発明の実施の形態について図面を参照して説明する。
図１（Ａ）、（Ｂ）は本実施の形態に係るカメラモジュール２０が組み込まれた電子機器の一例を示す外観図である。
図１に示すように電子機器１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
第１の筐体１４にカメラモジュール２０が設けられ、カメラモジュール２０で撮像した画像は液晶表示パネル１４０２に表示される。
カメラモジュール２０は被写体像を捉える撮像光学系２８を有し、撮像光学系２８は、第１の筐体１４に設けられた開口１４１０に臨んでいる。
【０００７】
次に、本発明に係るカメラモジュール２０の構成について詳細に説明する。
図２はカメラモジュール２０の斜視図、図３、図４、図１９はカメラモジュール２０の分解斜視図、図５は図２のＸＸ線断面図、図６は図２のＹＹ線断面図である。
図７はカメラモジュール２０の平面図、図８は図７のＡ矢視図、図９は図７のＢ矢視図、図１０は図７のＣ矢視図、図１１は図７のＤ矢視図、図１２は図７の後面図である。
なお、図２乃至図４、図７乃至図１２においては、カメラモジュール２０から基板５６を除いた状態を示している。
また、本実施の形態では、被写体側を前方、その反対側を後方として説明する。
カメラモジュール２０は、図３乃至図６に示すように、上記の撮像光学系２８に加えて、前鏡筒２２と、後鏡筒２４と、カバー２６と、レンズ保持部材３０と、前スプリング３２と、後スプリング３４と、撮像素子３６と、駆動部３８などを含んで構成されている。
【０００８】
（前鏡筒２２）
前鏡筒２２は、後鏡筒２４に組みつけられ後鏡筒２４と共に収容空間Ｓ（図５、図６）を形成するものである。
図４、図５、図６に示すように、前鏡筒２２は周壁４０を含んで構成されている。
周壁４０の内面は、円筒面からなるマグネット取り付け面４００２として形成され、周壁４０の外面は、矩形状に形成されている。
前鏡筒２２は合成樹脂材料を金型で成形することで形成されている。
図２、図３に示すように、周壁４０が後方に臨む後端面は、後鏡筒２４への合わせ面４０１０として形成されている。
また、図４に示すように、前鏡筒２２の周壁４０の互いに対向する２つの外面の後端両側からそれぞれ２つの前側凸部４０２０が突設されている。
【０００９】
（後鏡筒２４）
後鏡筒２４は、図３乃至図６に示すように、底壁４２と、開口４４とを有している。
底壁４２は、収容空間Ｓの前記光軸方向の後端を閉塞する矩形状に形成され、したがって、底壁４２の前面は収容空間Ｓに臨んでいる。
底壁４２は、互いに対向する２組の辺４２０２、４２０４を有し、各組の辺４２０２に、後スプリング３４を取り付けるための２つのピン４６がそれぞれ突設されている。
底壁４２の前面の４辺４２０２、４２０４に沿った箇所は、前鏡筒２２の合わせ面４０１０への合わせ面４２１０として形成されている。
これら後鏡筒２４の合わせ面４２１０は、図５、図６に示すように、前鏡筒２２の合わせ面の合わせ面４０１０にそれぞれ重ね合わされている。
また、図４に示すように、底壁４２の一辺の両側から２つの後側凸部４２２０が突設されている。
開口４４は、底壁４２の中央に形成され、矩形状を呈している。
【００１０】
（マグネット４８）
駆動部３８は、図３乃至図６に示すように、マグネット４８とコイル５２を含んで構成されている。
マグネット４８は、撮像光学系２８の光軸を中心とする円周上に延在して設けられており、本実施の形態では、マグネット４８は、同一形状の４つのマグネット分割体が円周方向に並べられることで構成され、コイル５２の外周に臨んでいる。
本実施の形態では、マグネット４８は、該マグネット４８の磁束を効率よくコイル５２に導くための円筒壁状のヨーク５０の内周面に取着され、このヨーク５０を介して前鏡筒２４のマグネット取り付け面４００２に取着されている。
【００１１】
（コイル５２）
図１３はコイル５２を前方から見た斜視図、図１４はコイル５２を後方から見た斜視図、図１５はコイル５２の平面図、図１６は図１５のＡ矢視図、図１７は図１５のＢ矢視図、図１８はコイル５２の後面図である。
コイル５２は、巻線が撮像光学系２８の光軸を中心とする円周上に巻回されて形成され、その外径は、マグネット４８の内径よりも小さい寸法で形成されている。
コイル５２の後端面に、平面視した場合、コイル５２と略同じ輪郭を有し、かつ、光軸方向の寸法がコイル５２よりも小さい寸法で形成された環状のコイルホルダ５４が取着されている。
コイルホルダ５４は、１８０度位相を異ならせた対向する２箇所に軸部５４０２が半径方向外方に突設され、各軸部５４０２にコイル５２の巻線の両端５２０２がそれぞれ巻回されている。
【００１２】
（撮像素子３６）
撮像素子３６は撮像光学系２８によって導かれる被写体像を撮像するものである。
図５、図６に示すように、撮像素子３６は矩形板状の基板５６の前面に設けられている。
後鏡筒２４の開口４４内に撮像素子３６が位置した状態で、基板５６が後鏡筒２４の底壁４２の後面に接着されるとともに、底壁４２の前面に開口４４を覆う光学フィルター（図略）を接着することで撮像素子３６が封止され、したがって、撮像素子３６は後鏡筒５２に設けられている。
【００１３】
（カバー２６）
図２、図９に示すように、カバー２６は、前面部２６０２と、側面部２６０４とを備えている。
前面部２６０２は矩形板状を呈し、前鏡筒２２の前面を覆うものである。
前面部２６０２が撮像光学系２８に臨む箇所に開口２６０６が形成されている。
側面部２６０４は前面部２６０２の４辺からそれぞれ屈曲形成され、前鏡筒２２および後鏡筒２４の４つの側部を覆うものである。
４つの側面部２６０４のうち対向する１組の側面部２６０４には後鏡筒２４の各係合突起５７に係合する係合溝２６０８が設けられている。
カバー２６の各係合溝２６０８が各係合突起５７に係合することで、カバー２６の前面部２６０２と後鏡筒２４の底壁４２との間に前鏡筒２２が挟持され、これにより前鏡筒２２と後鏡筒２４とが結合されている。
【００１４】
（レンズ保持部材３０）
図２０はレンズ保持部材３０を前方から見た斜視図、図２１はレンズ保持部材３０を後方から見た斜視図、図２２はレンズ保持部材３０の平面図、図２３は図２２のＡ矢視図、図２４は図２２のＢ矢視図、図２５はレンズ保持部材３０の後面図である。
図２６はレンズ保持部材３０とコイル５２の組み立て図、図２７は図２６の姿勢で組み立てたレンズ保持部材３０のＡＡ線断面図である。
【００１５】
レンズ保持部材３０は、図５、図６に示すように、撮像光学系２８を保持して収容空間Ｓに収容されている。
図２０乃至図２５に示すように、レンズ保持部材３０は筒部３００２と、筒部３００２の前部を接続する環状の前部３００３とを有し、前部３００３の中央には開口３００３Ａが設けられている。
撮像光学系２８は複数のレンズ群を含んで構成され、筒部３００２の内部に収容され、開口３００３Ａから前方を臨んでいる。
【００１６】
図２０、図２２に示すように、前部３００３には、筒部３００２の外径よりも小さい外径の膨出壁部３００４が形成され、この膨出壁部３００４の周面は撮像光学系２８の光軸を中心とする円周上を延在する円筒面３００６を形成している。
円筒面３００６の外周に、周方向に等間隔をおいた４箇所に膨出壁部３００４よりも後方に位置するように４つの前側スプリング当接面３００８が形成されており、これら前側スプリング当接面３００８は前記光軸と直交する平面上を延在している。
【００１７】
図２１、図２５に示すように、筒部３００２の後端には、筒部３００２の外径よりも小さい外径の環状の後側スプリング当接面３０１０が形成されている。
後側スプリング当接面３０１０は、前記光軸と同軸上で、光軸と直交する平面上を延在している。
後側スプリング当接面３０１０の外周の筒部３００２の後端箇所で周方向に等間隔をおいた６箇所から係止凸部３０１２が突設されており、これら係止凸部３０１２の内周面は撮像光学系２８の光軸を中心とする円周上を延在する円筒面３０１４を形成している。
【００１８】
図２０、図２２、図２３、図２４に示すように、筒部３００２の外周面は、前端に位置し矩形状に延在する４つの外面５８と、この前端を除く残りの部分に円筒面状に延在する後部円筒面６０とを含んで構成されている。
図２６、図２７に示すように、後部円筒面６０に後述するようにコイル５２が取着される。
また、図２０、図２２、図２３に示すように、４つの外面５８のうちの対向する２つの外面５８と後部円筒面６０とが交差する箇所に、前方を臨む三日月状の端面部６２がそれぞれ設けられている。
各端面部６２は両端に位置する面６４と、それら面６４よりも後端側に位置する中央面６６とを含んで構成されている。
そして、中央面６６と、中央面６６の両側から起立する側面６８と、外面５８とにより後述する接着剤充填用凹部７０の部分が構成される。
【００１９】
レンズ保持部材３０は、溶融状態の合成樹脂が金型のゲートから製品キャビティに充填されることで成形され、成形時の金型のゲートに対応する箇所が図２０に示すようにゲート部７２として残存している。
このゲート部７２は、２つの端面部６２のうちの一方の端面部６２の中央面６６の中央に位置している。
本実施の形態では、合成樹脂はポリカーボネートであり、レンズ保持部材３０として必要な硬度を確保するために合成樹脂にはガラス繊維などのフィラーが含まれている。
ゲート部７２は、中央面６６から突出し、その突出方向の先端がゲート部７２の切断箇所７２０２となっており、この切断箇所７２０２は、振動や衝撃が加わった際に、ゲート部７２に存在するフィラーが粉状に発生する箇所となっている。
【００２０】
（前スプリング３２、後スプリング３４）
前スプリング３２、後スプリング３４は、図５、図６に示すように、収容空間Ｓに配設されレンズ保持部材３０を撮像光学系２８の前記光軸に沿って移動可能に支持する案内機構を構成している。
前スプリング３２は前鏡筒２２とレンズ保持部材３０の間に配設され、後スプリング３４は後鏡筒２４とレンズ保持部材３０の間に配設されるものである。
図３に示すように、前スプリング３２、後スプリング３４は、導電性を有する金属材料で形成された薄く小さい幅の片体から中央に撮像光学系２８の光路用の開口３２０２がそれぞれ確保されるように環状に形成されている。
より詳細に説明すると、前スプリング３２は、内側に開口３２０２が形成された環板部３２０４と、環板部３２０４の外周に接続された４つの支持片３２０６とを有し、前記光軸方向に弾性変形可能に形成されている。
前スプリング３２は、各支持片３２０６の外周部分が前鏡筒２２の周壁４０の前部の四隅に取着され、開口３２０２に、図２０、図２２に示すレンズ保持部材３０の筒部３００２の膨出壁部３００４の円筒面３００６が挿通され、環板部３２０４がレンズ保持部材３０の４つの前側スプリング当接面３００８に当接されて前鏡筒２２とレンズ保持部材３０の間に配設されている。
本実施の形態では、図１２に示すように、４つの支持片３２０６の外周部分は前鏡筒２２の成形時に埋め込まれるインサート成形によって周壁４０の前部の四隅に取着されている。
【００２１】
図３、図１９に示すように、後スプリング３４は、同一形状の２つのスプリング分割体３４Ａで構成されている。
各スプリング分割体３４Ａは半円上を延在する円弧部３４０４を有している。
各スプリング分割体３４Ａの円弧部３４０４は、図２１、図２５に示すレンズ保持体３０の各係止凸部３０１２の円筒面３０１４の内側で、後側スプリング当接面３０１０に接着される。これにより２つの円弧部３４０４の内側に開口３４０２が形成されることになる。
図３に示すように、円弧部３４０４の外周には２つの支持片３４０６、３４０８が接続されており、支持片３４０６、３４０８にはそれぞれ孔３４１０が形成されている。
したがって、各スプリング分割体３４Ａの４つの孔３４１０が後鏡筒２４のピン４６に挿通され、支持片３４０６、３４０８の孔３４１０の周囲の部分が、前鏡筒２２と後鏡筒２４との間で挟持され、これにより、後スプリング３４は、後鏡筒２４とレンズ保持部材３０の間に配設されている。
さらに、図３に示すように、スプリング分割体３４Ａの円弧部３４０４の中間部には、接続片部３４２０がそれぞれ形成され、各接続片部３４２０には図１３に示すコイルホルダ５４の２つの軸部５４０２に巻回されたコイル５２の巻線の両端５２０２が半田付けされる。
また、各スプリング分割体３４Ａの支持片３４０８の先部はコイル５２の外方に延出された外部接続端子３４３０となっている。したがって、コイル５２は各スプリング分割体３４Ａを介して外部接続端子３４３０に電気的に接続されている。
各外部接続端子３４３０は、図１１、図１９に示すように、前鏡筒２２の２つの前側凸部４０２０と、後鏡筒２４の２つの後側凸部４２２０との間にそれぞれ挟持され、各外部接続端子３４３０の先部は、前側凸部４０２０と後側凸部４２２０の先端から外方に露出している。
【００２２】
したがって、コイル５２の巻線に、後スプリング３４の２つの外部接続端子３４３０を介して駆動信号が供給されると、コイル５２から磁界が発生する。
そして、コイル５２によって発生する磁界と、マグネット４８の磁極から発生する磁界との相互作用によってコイル５２に前記光軸方向への力（推力）が発生し、これにより、前スプリング３２、後スプリング３４によって保持されたレンズ保持部材３０および撮像光学系２８が前記光軸方向に移動し、撮像光学系２８によって撮像素子３６の撮像面に結像される被写体像の合焦動作がなされる。
したがって、マグネット４８とコイル５２によりレンズ保持部材３０を撮像光学系２８の光軸に沿って移動させる駆動部３８が構成されることになる。
【００２３】
（レンズ保持部材３０とコイル５２の組み立て）
次に、レンズ保持部材３０とコイル５２の組み立てについて説明する。
図２６、図２７に示すように、レンズホルダ３０の後端にコイル５２の前端を臨ませ、レンズホルダ３０の後部円筒面６０にコイル５２を装着する。
後部円筒面６０へのコイル５２の装着により、図２７に示すように、中央面６６と、中央面６６の両側から起立する側面６８と、外面５８と、コイル５２の内周面とにより、撮像光学系２８の光軸と平行する方向に開放状の接着剤充填用凹部７０が構成される。
本実施の形態では、接着剤充填用凹部７０は、周方向に間隔をおいて２箇所形成される。
そして、各接着剤充填用凹部７０において中央面６６が、撮像光学系２８の光軸と平行する方向を向いた接着剤充填用凹部７０の底面となる。
そして、一方の接着剤充填用凹部７０の中央面６６に、ゲート部７２が位置している。
【００２４】
レンズホルダ３０の後部円筒面６０にコイル５２を装着したならば、調整治具を用いて、レンズホルダ３０とコイル５２とを、撮像光学系２８の光軸方向において、また、光軸と直交する面内において位置決めを行う。
次いで、各接着剤充填用凹部７４に接着剤Ｂを充填することによりレンズ保持部材３０の外周部分とコイル５２の内周部分とが接着される。
その際、一方の接着剤充填用凹部７４では、接着剤Ｂによりゲート部７２が該接着剤Ｂ中に埋設される。
接着剤が硬化されることにより、コイル５２のレンズ保持部材３０への取り付けが完了する。
次いで、レンズ保持部材３０に後スプリング２４を取着し、これにより、レンズ保持部材３０、後スプリング２４、コイル５２、コイルホルダ５４が組み付けられた第２ユニットＵ２（図１９）が構成される。
【００２５】
次に、カメラモジュール２０の組み立て方法について説明する。
図１９に示すように、前鏡筒２２に前スプリング３２とマグネット４８とヨーク５０が組み込まれた第１ユニットＵ１と、上述のように構成された第２ユニットＵ２と、後鏡筒２４とを用意する。
そして、第２ユニットＵ２を後鏡筒２４に組み付ける。詳細には、後スプリング３４の孔３４１０に後鏡筒２４のピン４６を挿通して第２ユニットＵ２と後鏡筒２４とを合わせる。
次いで、その組み付けたものに第１ユニットＵ１を組み付ける。詳細には、前スプリング３２の開口３２０２にレンズ保持部材３０の筒部３００２の膨出壁部３００４の円筒面３００６を挿通し環板部３２０４をレンズ保持部材３０の前側スプリング当接面３００８に当接させて第１ユニットＵ１と第２ユニットＵ２とを合わせる。
最後に、カバー２６を第１ユニットＵ１の上に被せて、その係合溝２６０８を係合突起５７に係合させる。詳細には、カバー２６を第１ユニットＵ１の上に被せて、カバー２６の上面部２６０２と後鏡筒２４の底壁４２との間に前鏡筒２２を挟持させる。
これにより第１ユニットＵ１と、第２ユニットＵ２と、後鏡筒２４とが結合され、カメラモジュール２０が完成する。
【００２６】
以上説明したように本実施の形態によれば、レンズ保持部材３０に残存するゲート部７２を、接着剤充填用凹部７０の底面の箇所に位置させたので、接着剤充填用凹部７０に充填される接着剤Ｂによりレンズ保持部材６０とコイル５２とが接着すると共にゲート部７２が接着剤Ｂ中に埋設される。
したがって、カメラモジュール２０が組み込まれた電子機器１０を落下させるなどして、レンズ保持部材３０に振動や衝撃が加わったとしても、ゲート部７２の切断箇所７２０２からフィラーが粉状の塵埃となって脱落することを確実に防止できるため、塵埃が撮像光学系３８のレンズや撮像素子３６の撮像面などに付着することがなく、撮像された画像データの品質の向上を図る上で有利となる。
また、従来のように、ゲート部の切断箇所を覆うように接着剤を塗布したり切断箇所をヒータによって溶融するなどしてゲート部からの発塵を防止する特殊な処理工程を省略できるので、製造コストの削減を図る上でも有利となる。
【００２７】
次に撮像素子３６から発生する熱の放熱構造について説明する。
撮像素子３６は、ＣＣＤあるいはＣ−ＭＯＳセンサなどによって構成されているが、撮像素子３６は撮像動作に伴って発熱する。
撮像素子３６の温度が所定温度を超えた場合には、撮像素子３６の動作が安定して行われず、あるいは、撮像素子３６で生成される撮像信号のノイズ成分が増大してしまうため、撮像素子３６の温度上昇を効果的に防止する必要がある。
そこで、本発明では、ヨーク５０を利用して撮像素子３６から発生される熱を放熱するようにした。
図２８は放熱構造を設けた第１の例を示すカメラモジュール２０の分解斜視図、図２９はカメラモジュール２０への撮像素子３６の組み付けを説明する説明図、図３０はカメラモジュール２０の斜視図、図３１は図３０のＸＸ線断面図である。
【００２８】
カメラモジュール２０は、図３１に示すように、撮像光学系２８を保持するレンズ保持部材３０と、撮像光学系２８によって導かれた被写体像を撮像する撮像素子３６と、レンズ保持部材３０を撮像光学系２８の光軸に沿って移動させる駆動部３８とを備えている。
駆動部３８は、レンズ保持部材３０の外周に取着されたコイル５２と、コイル５２の外周に臨むマグネット４８と、マグネット４８の外周に取着されたヨーク５０とを含んで構成されている。
ヨーク５０は磁性材料で形成され、このような磁性材料としては、ケイ素鋼、軟鉄、パーマロイ、ステンレスなど従来公知のさまざまな磁性材料が採用可能である。
そして、撮像素子３６とヨーク５０とを連結し、撮像素子３６で発生した熱をヨーク５０に伝達する中継部材８０が設けられている。
【００２９】
図２８乃至図３１に示すように、中継部材８０は、例えば、ヨーク５０に一体に形成されている。
ヨーク５０は、本例では、マグネット４８の外周に取着される円筒状の本体５００２と、本体５００２の軸方向の端部で周方向に間隔をおいた２箇所から本体５００２の軸方向に延在する２つの脚片５００４とを有し、中継部材８０はそれら２つの脚片５００４で構成されている。
【００３０】
図２９、図３１に示すように、撮像素子３６は、パッケージ８２に封入されている。
詳細には、パッケージ８２は撮像光学系２８に臨む前面とその反対側に位置する後面とを有している。
パッケージ８２の前面には、前方に開放状の矩形状の収容凹部８２０２が形成されている。
撮像素子３６は収容凹部８２０２の底面に取着され、収容凹部８２０２の開口は光学フィルタを兼用するシールガラス８２０４によって覆われ、シールガラス８２０４がパッケージ８２の前面に封止されている。
パッケージ８２の後面は、基板５６の前面に取着され、基板５６はフレキシブル基板７６を介して図示しない信号処理回路などに接続されている。
中継部材８０はヨーク５０に連結されると共にパッケージ８２に結合されている。
したがって、中継部材８０はパッケージ８２を介在した状態で撮像素子３６に連結されている。
【００３１】
このような構成によれば、撮像素子３６で発生した熱は、パッケージ８２から中継部材８０を介してヨーク４８に伝達され、ヨーク４８で放熱される。
したがって、従来のようにヒートシンクなどの専用の放熱部材を設けることなく、撮像素子３６で発生した熱を効果的に放熱できるため、カメラモジュール２０の低コスト化および小型化を図りつつ、撮像素子３６によって生成される撮像信号の品質の向上を図る上で、また、撮像素子３６の動作の安定性を図る上で有利となる。
また、ヨーク４８は、レンズ保持部３０の半径方向外方において周方向に延在していることから、カメラモジュール２０を構成する部材のうちで表面積および体積が最も大きく確保された部材であり、したがって、ヨーク４８によって十分な放熱効果を得る上で有利となる。
【００３２】
次に第２の例について説明する。
図３２は放熱構造を設けた第２の例を示すカメラモジュール２０の分解斜視図である。
図３２に示すように、撮像素子３６は、パッケージ８２に封入され、パッケージ８２は基板５６上に実装されている。
中継部材８０はヨーク５０に連結されると共に基板５６に結合されている。
詳細には、パッケージ８２が実装される基板５６の前面が中継部材８０に臨む箇所に半田付けパッド５６１０が形成されており、中継部材８０と半田付けパッド５６１０とが半田Ｈを用いた半田付けによって結合されている。
なお、パッケージ８２の前面に位置するシールガラス８２０４と、基板５６の前面に設けられた半田付けパッド５６１０とは、基板５６の厚さ方向において離間しているため、中継部材８０と半田付けパッド５６１０との半田付け作業において発生する半田ボールなどの異物のシールガラス８２０４への付着防止が図られている。
したがって、中継部材８０は、基板５６およびパッケージ８２を介在した状態で撮像素子３６に連結されている。
【００３３】
このような構成によれば、撮像素子３６で発生した熱は、パッケージ８２から基板５６に伝達され、さらに基板５６から中継部材８０を介してヨーク４８に伝達され、ヨーク４８で放熱される。
したがって、第２の例においても第１の例と同様の効果が奏される。
【００３５】
なお、本実施の形態では、カメラモジュール２０が組み込まれる電子機器１０が携帯電話機である場合について説明したが、本発明のカメラモジュールは、例えば、ＰＤＡ、ノート型パーソナルコンピュータなどの携帯情報端末、あるいは、デジタルスチルカメラ、ビデオカメラなどの種々の電子機器に広く適用可能である。
【図面の簡単な説明】
【００３６】
【図１】（Ａ）、（Ｂ）は本実施の形態に係るカメラモジュール２０が組み込まれた電子機器の一例を示す外観図である。
【図２】カメラモジュール２０の斜視図である。
【図３】カメラモジュール２０の分解斜視図である。
【図４】カメラモジュール２０の分解斜視図である。
【図５】図２のＸＸ線断面図である。
【図６】図２のＹＹ線断面図である。
【図７】カメラモジュール２０の平面図である。
【図８】図７のＡ矢視図である。
【図９】図７のＢ矢視図である。
【図１０】図１０は図７のＣ矢視図である。
【図１１】図１１は図７のＤ矢視図である。
【図１２】図１２は図７の後面図である。
【図１３】コイル５２を前方から見た斜視図である。
【図１４】コイル５２を後方から見た斜視図である。
【図１５】コイル５２の平面図である。
【図１６】図１５のＡ矢視図である。
【図１７】図１５のＢ矢視図である。
【図１８】コイル５２の後面図である。
【図１９】カメラモジュール２０の分解斜視図である。
【図２０】レンズ保持部材３０を前方から見た斜視図である。
【図２１】レンズ保持部材３０を後方から見た斜視図である。
【図２２】レンズ保持部材３０の平面図である。
【図２３】図２２のＡ矢視図である。
【図２４】図２２のＢ矢視図である。
【図２５】レンズ保持部材３０の後面図である。
【図２６】レンズ保持部材３０とコイル５２の組み立て図である。
【図２７】図２６の姿勢で組み立てたレンズ保持部材３０のＡＡ線断面図である。
【図２８】放熱構造を設けた第１の例を示すカメラモジュール２０の分解斜視図である。
【図２９】カメラモジュール２０への撮像素子３６の組み付けを説明する説明図である。
【図３０】カメラモジュール２０の斜視図である。
【図３１】図３０のＸＸ線断面図である。
【図３２】放熱構造を設けた第２の例を示すカメラモジュール２０の分解斜視図である。
【符号の説明】
【００３７】
２０……カメラモジュール、２８……撮像光学系、３０……レンズ保持部材、３６……撮像素子、３８……駆動部、４８……マグネット、５０……ヨーク、５２……コイル、６６……中央面、７０……接着剤充填用凹部、７２……ゲート部、Ｂ……接着剤、８０……中継部材、８２……パッケージ。
【図１】
0004946921.tif 000002
【図２】
0004946921.tif 000003
【図３】
0004946921.tif 000004
【図４】
0004946921.tif 000005
【図５】
0004946921.tif 000006
【図６】
0004946921.tif 000007
【図７】
0004946921.tif 000008
【図８】
0004946921.tif 000009
【図９】
0004946921.tif 000010
【図１０】
0004946921.tif 000011
【図１１】
0004946921.tif 000012
【図１２】
0004946921.tif 000013
【図１３】
0004946921.tif 000014
【図１４】
0004946921.tif 000015
【図１５】
0004946921.tif 000016
【図１６】
0004946921.tif 000017
【図１７】
0004946921.tif 000018
【図１８】
0004946921.tif 000019
【図１９】
0004946921.tif 000020
【図２０】
0004946921.tif 000021
【図２１】
0004946921.tif 000022
【図２２】
0004946921.tif 000023
【図２３】
0004946921.tif 000024
【図２４】
0004946921.tif 000025
【図２５】
0004946921.tif 000026
【図２６】
0004946921.tif 000027
【図２７】
0004946921.tif 000028
【図２８】
0004946921.tif 000029
【図２９】
0004946921.tif 000030
【図３０】
0004946921.tif 000031
【図３１】
0004946921.tif 000032
【図３２】
0004946921.tif 000033